【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
ネットワークを介して互いに接続されたマルチページファイルサーバ装置と端末とからなるマルチページファイル管理システムにおいて、
前記マルチページファイルサーバ装置は、
画像信号を入力する入力部と、
この入力部によって入力された複数の画像信号を各ページ毎の画像データとして同一の画像ファイル内に格納することによって、マルチページファイルを生成するファイル生成手段と、
前記ファイル生成手段によって生成されたマルチページファイルを格納する記憶装置と、
端末から前記記憶装置内の特定ディレクトリ下の特定文書データを指定した要求情報を受信した場合には、このディレクトリに存在する各マルチページファイル中の各画像データに関する情報を埋め込んだ文書データを生成して、この文書データを当該端末へ送信するデータ応答手段とを備え、
前記端末は、
前記要求情報を前記マルチページファイルサーバへ送信する要求部と、
前記文書データを表示する表示部とを備える
ことを特徴とするマルチページファイル管理システム。
【請求項２】
前記画像データに関する情報はその画像に対応したパス情報を含む
ことを特徴とする請求項１記載のマルチページファイル管理システム。
【請求項３】
前記ファイル生成手段は、前記入力部によって入力された各画像信号に基づいて詳細画像データ及び解像度を落とした縮小画像データを生成し、これら詳細画像データ及び縮小画像データを同一ページの画像データとして前記マルチページファイルへ格納し、
前記データ応答手段は、各ページの縮小画像データのパス情報をそのページの詳細画像データに関するリンク情報として埋め込んで前記文書データを生成する
ことを特徴とする請求項２記載のマルチページファイル管理システム。
【請求項４】
前記要求部は、前記マルチページファイルサーバ装置から前記文書データを受信すると、この文書データにリンク情報として埋め込まれたパス情報を指定した要求情報を前記マルチページファイルサーバ装置へ送信し、
前記データ応答手段は、前記端末から何れかのパス情報を指定した要求情報を受信した場合には、このパス情報が示す画像データを当該端末へ送信する
ことを特徴とする請求項３記載のマルチページファイル管理システム。
【請求項５】
前記ファイル生成手段は、前記入力部によって入力された各画像信号に基づいて詳細画像データ及び解像度を落とした縮小画像データを生成し、これら詳細画像データ及び縮小画像データを同一ページの画像データとして前記マルチページファイルへ格納し、
前記データ応答手段は、各ページの詳細画像データのパス情報をそのページの詳細画像データに関するハイパーリンク情報として埋め込んで前記文書データを生成する
ことを特徴とする請求項２記載のマルチページファイル管理システム。
【請求項６】
前記表示部は、前記マルチページファイルサーバ装置から前記文書データを受信すると、この文書データに埋め込まれたハイパーリンク情報を表示するとともに、
前要求部は、前記表示部によって表示されているハイパーリンク情報が操作者によって選択されると、前記文書データにハイパーリンク情報として埋め込まれたパス情報を指定した要求情報を前記マルチページファイルサーバへ送信し、
前記データ応答手段は、前記端末から何れかのパス情報を指定した要求情報を受信した場合には、このパス情報が示す画像データを当該端末へ送信する
ことを特徴とする請求項５記載のマルチページファイル管理システム。
【請求項７】
ネットワークを介して端末に接続されるマルチページファイルサーバ装置であって、
画像信号を入力する入力部と、
この入力部によって入力された複数の画像信号を各ページ毎の画像データとして同一の画像ファイル内に格納することによって、マルチページファイルを生成するファイル生成手段と、
前記ファイル生成手段によって生成されたマルチページファイルを格納する記憶装置と、
端末から前記記憶装置内の特定ディレクトリ下の特定文書データを指定した要求情報を受信した場合には、このディレクトリに存在する各マルチページファイル中の各画像データに関する情報を埋め込んだ文書データを生成して、この文書データを当該端末へ送信するとともに、前記端末から何れかの前記画像データに関する情報に対応したパス情報を指定した要求情報を受信した場合には、このパス情報が示す画像データを当該端末へ送信するデータ応答手段と
を備えることを特徴とするマルチページファイルサーバ装置。
【請求項８】
記憶装置を有するとともに、画像信号を入力する入力装置に接続され、ネットワークを介して他のコンピュータに接続されるコンピュータに対して、
前記入力装置によって入力された複数の画像信号を各ページ毎の画像データとして同一の画像ファイル内に格納させることによって、マルチページファイルを生成させ、
このマルチページファイルを前記記憶装置に格納させ、
前記端末から前記記憶装置内の特定ディレクトリ下の特定文書データを指定した要求情報を受信した場合には、このディレクトリに存在する各マルチページファイル中の各画像データに関する情報を埋め込んだ文書データを生成させて、この文書データを当該端末へ送信させ、
前記端末から何れかの前記画像データに関する情報に対応したパス情報を指定した要求情報を受信した場合には、このパス情報が示す画像データを当該端末へ送信させる
プログラムを格納したコンピュータ可読媒体。
【請求項９】
ネットワークを介して互いに接続されたマルチページファイルサーバ装置と端末とからなるマルチページファイル管理システムにおいて、
前記マルチページファイルサーバ装置は、
画像信号を入力する入力部と、
この入力部によって入力された複数の画像信号を各ページ毎の画像データとして同一の画像ファイル内に格納することによって、マルチページファイルを生成するファイル生成手段と、
前記ファイル生成手段によって生成されたマルチページファイルを格納する記憶装置と、
端末からの要求に応じて、この端末を構成するコンピュータに対して前記記憶装置内に存在する特定マルチページファイル中の各画像データへのアクセス要求を送信させるプログラム情報を、この端末へ送信するプログラム情報送信部と、
前記プログラム情報に基づいて前記端末が送信してきた前記アクセス要求に応じて、前記記憶装置内に存在する特定マルチページファイル中の各画像データに対する操作を行う画像データ操作手段とを備え、
前記端末は、
前記プログラム情報を前記マルチページファイルサーバへ要求する要求部と、
前記マルチページファイルサーバから受信した前記プログラム情報に応じた処理を実行する処理実行部
とを備える
ことを特徴とするマルチページファイル管理システム。
【請求項１０】
前記アクセス要求は、前記画像データの情報送信要求である
ことを特徴とする請求項９記載のマルチページファイル管理システム。
【請求項１１】
前記アクセス要求は、前記画像データの編集要求である
ことを特徴とする請求項９記載のマルチページファイル管理システム。
【請求項１２】
前記アクセス要求は、前記画像データの送信要求である
ことを特徴とする請求項９記載のマルチページファイル管理システム。
【請求項１３】
ネットワークを介して端末に接続されるマルチページファイルサーバ装置であって、
画像信号を入力する入力部と、
この入力部によって入力された複数の画像信号を各ページ毎の画像データとして同一の画像ファイル内に格納することによって、マルチページファイルを生成するファイル生成手段と、
前記ファイル生成手段によって生成されたマルチページファイルを格納する記憶装置と、
端末からの要求に応じて、この端末を構成するコンピュータに対して前記記憶装置内に存在する特定マルチページファイル中の各画像データへのアクセス要求を送信させるプログラム情報を、この端末へ送信するプログラム情報送信部と、
前記プログラム情報に基づいて前記端末が送信してきた前記アクセス要求に応じて、前記記憶装置内に存在する特定マルチページファイル中の各画像データに対する操作を行う画像データ操作手段とを
備えることを特徴とするマルチページファイルサーバ装置。
【請求項１４】
記憶装置を有するとともに、画像信号を入力する入力装置に接続され、ネットワークを介して他のコンピュータに接続されるコンピュータに対して、
前記入力装置によって入力された複数の画像信号を各ページ毎の画像データとして同一の画像ファイル内に格納させることによって、マルチページファイルを生成させ、
このマルチページファイルを前記記憶装置に格納させ、
端末からの要求に応じて、この端末を構成するコンピュータに対して前記記憶装置内に存在する特定マルチページファイル中の各画像データへのアクセス要求を送信させるプログラム情報を、この端末へ送信させ
前記プログラム情報に基づいて前記端末が送信してきた前記アクセス要求に応じて、前記記憶装置内に存在する特定マルチページファイル中の各画像データに対する操作を行わせる
プログラムを格納したコンピュータ可読媒体。
【手続補正２】
【補正対象書類名】明細書
【補正対象項目名】００１０
【補正方法】変更
【補正の内容】
【００１０】
即ち、本発明の第１の態様によるマルチページファイル管理システムは、ネットワークを介して互いに接続されたマルチページファイルサーバ装置と端末とからなるマルチページファイル管理システムにおいて、前記マルチページファイルサーバ装置は、画像信号を入力する入力部と、この入力部によって入力された複数の画像信号を各ページ毎の画像データとして同一の画像ファイル内に格納することによって、マルチページファイルを生成するファイル生成手段と、前記ファイル生成手段によって生成されたマルチページファイルを格納する記憶装置と、端末から前記記憶装置内の特定ディレクトリ下の特定文書データを指定した要求情報を受信した場合には、このディレクトリに存在する各マルチページファイル中の各画像データに関する情報を埋め込んだ文書データを生成して、この文書データを当該端末へ送信するデータ応答手段とを備え、前記端末は、前記要求情報を前記マルチページファイルサーバへ送信する要求部と、前記文書データを表示する表示部とを備えることを特徴とする。
【手続補正３】
【補正対象書類名】明細書
【補正対象項目名】００１１
【補正方法】変更
【補正の内容】
【００１１】
このように構成されると、端末の要求部が、特定ディレクトリ下の特定文書データを指定した要求情報をマルチページファイルサーバ装置へ送信すると、マルチページファイルサーバ装置のデータ応答手段は、特定ディレクトリ下の各マルチページファイルに格納されている各画像データに関する情報を埋め込んだ特定文書データを端末に送信する。その結果、端末の表示部は、この文書データに基づいた表示を行うことができる。
【手続補正４】
【補正対象書類名】図面
【補正対象項目名】図６
【補正方法】変更
【補正の内容】
【図６】
2001290695.tif 000001